(57)【要約】【課題】加熱対象の飲食品に応じた加熱状態によって当該飲食品を加熱する仕組みを提供する。【解決手段】加熱装置は、飲食品の調理状態に応じた加熱状態を示す加熱情報を記憶する記憶部から前記加熱情報を取得する加熱情報取得部と、自装置が加熱する飲食品の前記加熱情報を示す加熱指示情報を取得する加熱指示情報取得部と、前記加熱情報取得部が取得する前記加熱情報と、前記加熱指示情報取得部が取得する前記加熱指示情報とに基づいて、飲食品の加熱を制御する加熱制御部と、前記加熱制御部の制御に基づいて、前記飲食品を加熱する加熱部と、を備える。【選択図】図１
2018028409.tif 000002
【特許請求の範囲】
【請求項１】
飲食品の調理状態に応じた加熱状態を示す加熱情報を記憶する記憶部から前記加熱情報を取得する加熱情報取得部と、
自装置が加熱する飲食品の前記加熱情報を示す加熱指示情報を取得する加熱指示情報取得部と、
前記加熱情報取得部が取得する前記加熱情報と、前記加熱指示情報取得部が取得する前記加熱指示情報とに基づいて、飲食品の加熱を制御する加熱制御部と、
前記加熱制御部の制御に基づいて、前記飲食品を加熱する加熱部と、
を備える加熱装置。
【請求項２】
前記加熱状態には、
マイクロ波によって加熱する状態、ヒーターによって加熱する状態、蒸気によって加熱する状態とのうち、少なくとも１つが含まれる
請求項１に記載の加熱装置。
【請求項３】
前記飲食品は、
真空包装され、又は冷凍されている
請求項１又は請求項２に記載の加熱装置。
【請求項４】
前記飲食品を包装する包装物には、当該飲食品の前記加熱指示情報を示す情報が表示される
請求項１から請求項３のいずれか一項に記載の加熱装置。
【発明の詳細な説明】
【技術分野】
【０００１】
本発明は、加熱装置に関する。
【背景技術】
【０００２】
従来、飲食品を加熱する装置が知られている。例えば、特許文献１には、マイクロ波を飲食品に照射して加熱する加熱状態と、電気的なヒーターを熱源として飲食品を加熱する加熱状態と、蒸気によって飲食品を加熱する加熱状態との３つ加熱状態によって飲食品を加熱する装置に関する技術が記載されている。
【先行技術文献】
【特許文献】
【０００３】
【特許文献１】特開２００９−１４２３７号公報
【発明の概要】
【発明が解決しようとする課題】
【０００４】
ここで、飲食品は、輸送する際の環境や保存期間等に応じて、真空包装及び冷凍される場合がある。この場合、飲食品は、包装状態や保存状態に応じて加熱される。具体的には、飲食品を電子レンジやオーブン等の加熱装置によって加熱する際、当該飲食品に適した加熱状態によって加熱することによって、当該飲食品を美味しく調理することができる。
しかしながら、従来の技術では、加熱対象の飲食品に応じた加熱方法によって当該飲食品を加熱することまでは困難である場合があった。
本発明は、上記問題に鑑みて為されたものであり、加熱対象の飲食品に応じた加熱状態によって当該飲食品を加熱する仕組みを提供することを目的とする。
【課題を解決するための手段】
【０００５】
本発明の一態様は、飲食品の調理状態に応じた加熱状態を示す加熱情報を記憶する記憶部から前記加熱情報を取得する加熱情報取得部と、自装置が加熱する飲食品の前記加熱情報を示す加熱指示情報を取得する加熱指示情報取得部と、前記加熱情報取得部が取得する前記加熱情報と、前記加熱指示情報取得部が取得する前記加熱指示情報とに基づいて、飲食品の加熱を制御する加熱制御部と、前記加熱制御部の制御に基づいて、前記飲食品を加熱する加熱部とを備える加熱装置である。
【０００６】
また、本発明の一態様の加熱装置において、前記加熱状態には、マイクロ波によって加熱する状態、ヒーターによって加熱する状態、蒸気によって加熱する状態とのうち、少なくとも１つが含まれる。
【０００７】
また、本発明の一態様の加熱装置において、前記飲食品は、真空包装され、又は冷凍されている。
【０００８】
また、本発明の一態様の加熱装置において、前記飲食品を包装する包装物には、当該飲食品の前記加熱指示情報を示す情報が表示される。
【発明の効果】
【０００９】
本発明によれば、加熱対象の飲食品に応じた加熱状態によって当該飲食品を加熱する仕組みを提供することができる。
【図面の簡単な説明】
【００１０】
【図１】本実施形態の加熱装置の概要を示す図である。
【図２】本実施形態の加熱情報の一例を示す表である。
【図３】本実施形態の加熱装置の構成の一例を示す図である。
【図４】本実施形態の加熱装置の動作の一例を示す流れ図である。
【発明を実施するための形態】
【００１１】
［実施形態］
＜加熱装置の概要について＞
以下、図を参照して本発明の実施形態について説明する。
図１は、本実施形態の加熱装置１の概要を示す図である。
加熱装置１は、飲食品ＦＤを加熱する装置である。加熱装置１は、飲食品ＦＤを加熱する機構を備えており、加熱対象の飲食品ＦＤを加熱する。この一例では、加熱装置１は、前面が開口する四角箱状をなしており、加熱装置１には、飲食品ＦＤが四角箱状の前面を通して出し入れされる。加熱装置１は、加熱部を備えており、四角箱状の内部空間に配置された飲食品ＦＤであって、加熱対象の飲食品ＦＤを加熱する。加熱装置１が備える加熱部とは、例えば、マイクロ波加熱部ＷＨ、ヒーター加熱部ＨＨ及び蒸気加熱部ＭＨ等である。加熱装置１が備えるマイクロ波加熱部ＷＨ、ヒーター加熱部ＨＨ及び蒸気加熱部ＭＨは、加熱装置１の加熱対象の飲食品ＦＤを加熱する。
【００１２】
マイクロ波加熱部ＷＨとは、例えば、飲食品ＦＤにマイクロ波を照射し、当該飲食品ＦＤを加熱する機構である。以降の説明において、マイクロ波加熱部ＷＨがマイクロ波によって飲食品ＦＤを加熱する状態をマイクロ波加熱状態と記載する。また、ヒーター加熱部ＨＨとは、例えば、電力によって加熱するヒーターであって、当該ヒーターが加熱することに伴って生じる熱により飲食品ＦＤを加熱する機構である。以降の説明において、ヒーター加熱部ＨＨがヒーターによって飲食品ＦＤを加熱する状態をヒーター加熱状態と記載する。また、蒸気加熱部ＭＨとは、例えば、加熱装置１に注入される水を加熱し、当該加熱装置１の内部空間に高温の蒸気を噴出し、当該蒸気の熱によって飲食品ＦＤを加熱する機構である。以降の説明において、蒸気加熱部ＭＨが蒸気によって飲食品ＦＤを加熱する状態を蒸気加熱状態と記載する。したがって、加熱装置１は、飲食品ＦＤをマイクロ波加熱状態、ヒーター加熱状態及び蒸気加熱状態の複数の加熱状態によって加熱する。
以降の説明において、マイクロ波加熱部ＷＨ、ヒーター加熱部ＨＨ及び蒸気加熱部ＭＨを区別しない場合には、総称して加熱部と記載する。
【００１３】
＜飲食品の調理状態について＞
ここで、飲食品ＦＤは、飲食品ＦＤを輸送する際の環境や保存期間等に応じて、包装状態や保存温度が異なる場合がある。具体的には、飲食品ＦＤは、飲食品ＦＤを輸送する際の環境や保存期間等に応じて、真空包装や冷凍される場合がある。
加熱装置１は、例えば、飲食品ＦＤが調理される場所と、飲食品ＦＤが提供される場所とが異なる場合、提供される場所において飲食品ＦＤを加熱する装置である。また、加熱装置１は、例えば、飲食品ＦＤが冷凍される場合、飲食品ＦＤを解凍及び加熱する装置である。
また、飲食品ＦＤは、加熱装置１によって加熱されることを考慮して調理される場合がある。具体的には、飲食品ＦＤが白米であって、かつ冷凍される場合、白米は、完全に炊き上げず、芯が残った状態まで調理を行い、冷凍される。また、飲食品ＦＤがエビフライであって、かつ冷凍される場合、エビフライに３割程度火が通った状態まで揚げる調理を行い、冷凍される。
図１に示す通り、この一例では、加熱装置１の加熱対象の飲食品ＦＤが焼き魚（飲食品ＦＤ１）である。焼き魚は、加熱装置１によって加熱されることを考慮して、８割程度まで焼く調理を行った後、皮にバーナーで炙る調理が行われる。また、この一例では、焼き魚は、焼き魚を包装するビニールバック等の包装物Ｂによって真空包装され、かつ冷凍される。
【００１４】
＜加熱情報について＞
また、図１に示す通り、加熱装置１には、情報の送受信が可能なネットワークＮを介して記憶部ＳＶが接続される。記憶部ＳＶには、加熱情報ＣＩが記憶される。加熱情報ＣＩとは、飲食品ＦＤの調理状態に応じた加熱状態を示す情報である。具体的には、加熱情報ＣＩとは、飲食品ＦＤの調理状態に応じた加熱時間や、飲食品ＦＤを加熱する機構の種類や、加熱する機構を使用する順序等を示す情報である。加熱装置１は、ネットワークＮを介して記憶部ＳＶから加熱情報ＣＩを取得する。なお、加熱装置１と、記憶部ＳＶとが別体である構成に代えて、加熱装置１が記憶部ＳＶを備える構成であってもよい。
【００１５】
以下、図２を参照して加熱情報ＣＩの詳細について説明する。
図２は、本実施形態の加熱情報ＣＩの一例を示す表である。
図２に示す通り、加熱情報ＣＩとは、加熱状態を識別する識別番号ＩＤと、加熱状態とが関連付けられた情報である。
この一例では、記憶部ＳＶには、５つの加熱情報ＣＩが記憶される。加熱指示情報ＣＤＩ１は、識別番号ＩＤが「１」であって、加熱状態が、飲食品ＦＤをマイクロ波加熱状態によって３分間加熱した後、ヒーター加熱状態によって２分間加熱することを示す。加熱指示情報ＣＤＩ２は、識別番号ＩＤが「２」であって、加熱状態が、飲食品ＦＤをマイクロ波加熱状態によって４分間加熱した後、蒸気加熱状態によって１０分間加熱することを示す。加熱指示情報ＣＤＩ３は、識別番号ＩＤが「３」であって、加熱状態が、飲食品ＦＤをマイクロ波加熱状態によって４分間加熱することを示す。加熱指示情報ＣＤＩ４は、識別番号ＩＤが「４」であって、加熱状態が、飲食品ＦＤをヒーター加熱状態によって５分間加熱することを示す。加熱指示情報ＣＤＩ５は、識別番号ＩＤが「５」であって、加熱状態が、飲食品ＦＤを蒸気加熱状態及びヒーター加熱状態によって７分間加熱することを示す。蒸気加熱状態及びヒーター加熱状態とは、蒸気加熱状態と、ヒーター加熱状態とを同時に行う加熱状態である。
以降の説明において、加熱指示情報ＣＤＩ１〜加熱指示情報ＣＤＩ５を区別しない場合には、総称して加熱情報ＣＩと記載する。
【００１６】
なお、加熱情報ＣＩには、包装物Ｂの開封の要否を示す情報が更に含まれていてもよい。例えば、「包装物Ｂを開封し、容器に移した後加熱を行う」、「包装物Ｂのまま加熱する」及び「マイクロ波加熱状態によって加熱し、包装物Ｂを開封して容器に移した後、ヒーター加熱状態によって加熱する」等の情報が含まれていてもよい。
【００１７】
＜加熱指示情報について＞
図１に戻り、加熱装置１は、当該加熱装置１が加熱する飲食品ＦＤの加熱情報ＣＩを示す加熱指示情報ＣＤＩを取得する。加熱指示情報ＣＤＩとは、当該加熱装置１が加熱する対象の飲食品ＦＤの加熱情報ＣＩを示す情報である。以降の説明において、焼き魚（飲食品ＦＤ１）の加熱指示情報ＣＤＩを加熱指示情報ＣＤＩ１と記載する。加熱指示情報ＣＤＩとは、例えば、加熱情報ＣＩが示す加熱状態のうち、当該飲食品ＦＤの調理状態に応じた加熱状態に対応する識別番号ＩＤを示す情報である。
例えば、加熱装置１が加熱する飲食品ＦＤが焼き魚である場合、加熱状態は、蒸気加熱状態及びヒーター加熱状態によって７分間加熱することが最適である。この場合、焼き魚の加熱指示情報ＣＤＩ１は、識別番号ＩＤ「５」を示す情報である。
【００１８】
図１に示す通り、飲食品ＦＤを包装する包装物Ｂには、当該飲食品ＦＤの加熱指示情報ＣＤＩを示す情報が表示される。加熱指示情報ＣＤＩを示す情報とは、例えば、バーコードＢＣである。加熱装置１は、検出器ＲＤを備えており、飲食品ＦＤの包装物Ｂに付されるバーコードＢＣを読み取る。検出器ＲＤとは、バーコードＢＣを読み取るバーコードリーダーである。加熱装置１は、バーコードＢＣが示す加熱指示情報ＣＤＩを検出器ＲＤによって読み取り、当該検出器ＲＤから加熱指示情報ＣＤＩを取得する。
この一例では、焼き魚の包装物Ｂには、加熱指示情報ＣＤＩ１を示すバーコードＢＣが印刷される。加熱装置１は、検出器ＲＤによってバーコードＢＣを読み取り、加熱指示情報ＣＤＩ１を取得する。
加熱装置１は、検出器ＲＤから取得する加熱指示情報ＣＤＩと、記憶部ＳＶから取得する加熱情報ＣＩとに基づいて、飲食品ＦＤを加熱する。
【００１９】
なお、飲食品ＦＤの包装物Ｂには、加熱指示情報ＣＤＩを示すバーコードＢＣが印刷される構成に代えて、包装物Ｂに加熱指示情報ＣＤＩを示すラベルが付される構成であってもよい。
また、加熱装置１が検出器ＲＤによって読み取るバーコードＢＣは、二次元バーコードであってもよい。
また、加熱装置１が検出器ＲＤによって包装物Ｂに付されるバーコードＢＣを読み取る構成に代えて、加熱指示情報ＣＤＩを入力する入力部を備える構成であってもよい。この場合、飲食品ＦＤの包装物Ｂには、加熱指示情報ＣＤＩに応じた識別番号ＩＤが記載される。加熱装置１によって飲食品ＦＤを加熱調理する調理者は、加熱指示情報ＣＤＩを示す識別番号ＩＤを入力部に入力する。加熱装置１は、当該調理者が入力部に識別番号ＩＤを入力することによって、加熱指示情報ＣＤＩを取得する。
また、加熱装置１が検出器ＲＤによって包装物Ｂに付されるバーコードＢＣを読み取る構成に代えて、包装物Ｂに記載される加熱指示情報ＣＤＩに応じた識別番号ＩＤを画像認識によって取得する取得部を備える構成であってもよい。この場合、飲食品ＦＤの包装物Ｂには、加熱指示情報ＣＤＩに応じた識別番号ＩＤが記載される。加熱装置１は、飲食品ＦＤが撮像された画像に基づいて、既知の方法によって識別番号ＩＤを画像認識し、当該加熱指示情報ＣＤＩを取得する。
【００２０】
＜加熱装置の構成について＞
以下、図３を参照して加熱装置１の構成について説明する。
図３は、本実施形態の加熱装置１の構成の一例を示す図である。
図３に示す通り、加熱装置１と記憶部ＳＶとは接続されており、記憶部ＳＶは、加熱装置１に加熱情報ＣＩを供給する。また、加熱装置１と検出器ＲＤとは、接続されており、検出器ＲＤは、加熱指示情報ＣＤＩ（この一例では、加熱指示情報ＣＤＩ１）を加熱装置１に供給する。
【００２１】
加熱装置１は、制御部１００と、加熱部とを備える。加熱部とは、例えば、マイクロ波加熱部ＷＨと、ヒーター加熱部ＨＨと、蒸気加熱部ＭＨである。マイクロ波加熱部ＷＨとは、飲食品ＦＤをマイクロ波加熱状態によって加熱する加熱部である。ヒーター加熱部ＨＨとは、飲食品ＦＤをヒーター加熱状態によって加熱する加熱部である。蒸気加熱部ＭＨとは、飲食品ＦＤを蒸気加熱状態によって加熱する加熱部である。制御部１００は、ＣＰＵ（Ｃｅｎｔｒａｌ  Ｐｒｏｃｅｓｓｉｎｇ  Ｕｎｉｔ）を備えており、加熱情報取得部１１０と、加熱指示情報取得部１２０と、加熱制御部１３０とをその機能部として備える。
加熱情報取得部１１０は、記憶部ＳＶから加熱情報ＣＩを取得する。加熱情報取得部１１０は、取得した加熱情報ＣＩを加熱制御部１３０に供給する。
加熱指示情報取得部１２０は、検出器ＲＤから加熱指示情報ＣＤＩを取得する。加熱指示情報取得部１２０は、取得した加熱指示情報ＣＤＩを加熱制御部１３０に供給する。
加熱制御部１３０は、加熱指示情報ＣＤＩと、加熱情報ＣＩとに基づいて、飲食品ＦＤを加熱を制御する。具体的には、加熱制御部１３０は、加熱情報ＣＩのうち、加熱指示情報ＣＤＩが示す識別番号ＩＤに対応する加熱状態によって飲食品ＦＤを加熱するように加熱部を制御する。つまり、加熱制御部１３０は、加熱情報ＣＩと、加熱指示情報ＣＤＩとに基づいて、マイクロ波加熱部ＷＨ、ヒーター加熱部ＨＨ及び蒸気加熱部ＭＨとのうち、少なくとも一つの加熱部の動作を制御し、飲食品ＦＤを加熱する。
この一例では、焼き魚の加熱指示情報ＣＤＩ１が「５」を示す。また、加熱指示情報ＣＤＩの識別番号ＩＤ「５」に応じた加熱状態とは、飲食品ＦＤを蒸気加熱状態及びヒーター加熱状態によって７分間加熱する加熱状態である。したがって、加熱制御部１３０は、蒸気加熱部ＭＨと、ヒーター加熱部ＨＨとの動作を制御し、飲食品ＦＤを加熱する。
【００２２】
なお、加熱装置１は、記憶部ＳＶから全ての加熱情報ＣＩを取得する構成に代えて、加熱指示情報ＣＤＩに応じた加熱情報ＣＩのみを記憶部ＳＶから取得する構成であってもよい。
【００２３】
＜加熱装置の動作について＞
以下、図４を参照して加熱装置１の動作について説明する。
図４は、本実施形態の加熱装置１の動作の一例を示す流れ図である。
加熱指示情報取得部１２０は、検出器ＲＤから加熱指示情報ＣＤＩを取得する（ステップＳ１１０）。加熱情報取得部１１０は、記憶部ＳＶから加熱情報ＣＩを取得する（ステップＳ１２０）。加熱制御部１３０は、加熱情報取得部１１０から取得した加熱情報ＣＩと、加熱指示情報取得部１２０から取得した加熱指示情報ＣＤＩとに基づいて、飲食品ＦＤの加熱を制御する（ステップＳ１３０）。加熱部は、加熱制御部１３０の制御に基づいて、飲食品ＦＤを加熱する（ステップＳ１４０）。
【００２４】
＜実施形態のまとめ＞
以上説明したように、本実施形態の加熱装置１は、当該加熱装置１が加熱する飲食品ＦＤの調理状態に応じた加熱状態を示す加熱情報ＣＩと、当該飲食品ＦＤの加熱指示情報ＣＤＩとに基づいて、飲食品ＦＤを加熱する。これにより、本実施形態の加熱装置１は、飲食品ＦＤに適した加熱状態によって当該飲食品ＦＤを加熱することができる。したがって、本実施形態の加熱装置１は、飲食品ＦＤに応じた加熱状態によって適切に加熱調理された飲食品ＦＤを、当該飲食品ＦＤが提供される被提供者に提供することができる。
【００２５】
また、本実施形態の加熱装置１は、複数の加熱状態によって飲食品ＦＤを加熱する。具体的には、本実施形態の加熱装置１は、マイクロ波によって加熱する状態（マイクロ波加熱状態）、ヒーターによって加熱する状態（ヒーター加熱状態）、蒸気によって加熱する状態（蒸気加熱状態）とのうち、少なくとも１つの加熱状態によって飲食品ＦＤを加熱する。これにより、本実施形態の加熱装置１は、飲食品ＦＤの調理に適した加熱状態によって当該飲食品ＦＤを加熱することができる。したがって、本実施形態の加熱装置１は、飲食品ＦＤが提供される被提供者に対して飲食品ＦＤに応じた加熱状態によって適切に加熱調理された当該飲食品ＦＤを提供することができる。
【００２６】
また、本実施形態の加熱装置１は、真空包装と、冷凍とのうち、少なくとも一方が行われた飲食品ＦＤに対して加熱を行う。本実施形態の加熱装置１は、飲食品ＦＤが真空包装、又は冷凍された場合であっても、当該飲食品ＦＤに応じた加熱状態によって加熱する。これにより、本実施形態の加熱装置１は、被提供者に対して飲食品ＦＤに応じた加熱状態によって適切に加熱調理された飲食品ＦＤを提供することができる。
飲食品ＦＤは、真空包装が行われることにより、当該飲食品ＦＤを容易に輸送することができる。この場合、飲食品ＦＤが調理される場所と、当該飲食品ＦＤの被提供者と距離が離れている場合であっても、被提供者に飲食品ＦＤを提供することができる。また、飲食品ＦＤは、冷凍されることにより、当該飲食品ＦＤの保存期間を延伸することができる。この場合、飲食品ＦＤが被提供者に提供されるまでの時間を確保することができる。したがって、飲食品ＦＤの調理される場所と、当該飲食品ＦＤの被提供者との距離が離れている場合であっても、被提供者に飲食品ＦＤを提供することができる。また、被提供者は、飲食品ＦＤが冷凍され、保存期間が延伸されることにより、保存期間の間、飲食品ＦＤを蓄えておくことができる。
【００２７】
また、本実施形態の加熱装置１が加熱する飲食品ＦＤを包装する包装物Ｂには、当該飲食品ＦＤの加熱指示情報ＣＤＩが表示される。これにより、本実施形態の加熱装置１によって飲食品ＦＤを加熱調理する調理者が、当該飲食品ＦＤに関する加熱指示情報ＣＤＩと、加熱情報ＣＩとの対応を記憶又は記録する手間を低減することができる。
【００２８】
なお、上記の各実施形態における加熱装置１が備える各部は、専用のハードウェアにより実現されるものであってもよく、また、メモリおよびマイクロプロセッサにより実現させるものであってもよい。
【００２９】
なお、加熱装置１が備える各部は、メモリおよびＣＰＵ（中央演算装置）により構成され、加熱装置１が備える各部の機能を実現するためのプログラムをメモリにロードして実行することによりその機能を実現させるものであってもよい。
【００３０】
また、加熱装置１が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００３１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００３２】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００３３】
１…加熱装置、１００…制御部、１１０…加熱情報取得部、１２０…加熱指示情報取得部、１３０…加熱制御部、Ｂ…包装物、ＢＣ…バーコード、ＣＤＩ、ＣＤＩ１、ＣＤＩ２、ＣＤＩ３、ＣＤＩ４、ＣＤＩ５…加熱指示情報、ＣＩ…加熱情報、ＦＤ…飲食品、ＲＤ…検出器、ＳＶ…記憶部
【図１】
2018028409.tif 000003
【図２】
2018028409.tif 000004
【図３】
2018028409.tif 000005
【図４】
2018028409.tif 000006